(57)【特許請求の範囲】
【請求項１】
通信装置であって、
トランシーバに結合されるプロセッサと、
ピア通信装置からの第一サブフレームサブセット、第二サブフレームサブセット及び複数の報告パラメータに関する情報を搭載する１つ以上の設定メッセージを受信するトランシーバとを含み、
前記プロセッサは、すくなくとも、
ピア通信装置により設定される少なくとも１つの第一サブフレームサブセット、第二サブフレームサブセットおよび複数の報告パラメータに関する情報を得て、前記第一および前記第二サブフレームサブセットが設定されて、前記トランシーバにより、チャネル状態情報測定を実行し、前記報告パラメータがすくなくとも前記第一サブフレームサブセットに対応する第一プロセッサ論理ユニットと、
前記第一サブフレームサブセットにリンクされる測定結果を報告する前記報告パラメータにしたがって、少なくとも１つの報告インスタンスを決定する第二プロセッサ論理ユニット、および、
前記報告インスタンスに基づいて、前記第一サブフレームサブセットに対応する所望の信号の電力を測定する測定インスタンスを決定する第三プロセッサ論理ユニットと、
を含むことを特徴とする通信装置。
【請求項２】
前記報告インスタンスおよび前記測定インスタンスのサブフレームインデックス間の差異は、所定値以上の最小整数で、前記測定インスタンスは有効なダウンリンクサブフレームで、且つ、前記第一サブフレームサブセット中に含まれる複数のサブフレームの１つであることを特徴とする請求項１に記載の通信装置。
【請求項３】
通信装置であって、
トランシーバに結合されるプロセッサと、
ピア通信装置からの第一サブフレームサブセット、第二サブフレームサブセット及び複数の報告パラメータに関する情報を搭載する１つ以上の設定メッセージを受信するトランシーバとを含み、
前記プロセッサは少なくとも、
ピア通信装置により設定される少なくとも１つの第一サブフレームサブセットおよび第二サブフレームサブセットに関する情報を得て、前記第一および前記第二サブフレームサブセットが設定されて、前記トランシーバにより、チャネル状態情報測定を実行する第一プロセッサ論理ユニットと、
前記ピア通信装置から受信される測定報告を始動するトリガメッセージに対応して、報告インスタンスを決定し、測定結果を報告する第二プロセッサ論理ユニットと、
前記トリガメッセージが前記第一サブフレームサブセットおよび前記第二サブフレームサブセットのどちらにもリンクできない時、または、前記トリガメッセージが前記第一サブフレームサブセットおよび前記第二サブフレームサブセット両方にリンクされる時、所定の規則にしたがって、前記第一および前記第二サブフレームサブセットから測定されるサブフレームサブセットを決定する第三プロセッサ論理ユニット、および、
前記決定されたサブフレームサブセットに対応する所望の信号の前記電力を測定する測定インスタンスを決定する第四プロセッサ論理ユニットと、
を含むことを特徴とする通信装置。
【請求項４】
前記所定の規則は、前記第一および前記第二サブフレームサブセットのどちらも測定しないことを決定し、前記第三プロセッサ論理ユニットは、さらに、第四プロセッサ論理ユニットに、前記測定インスタンスの前記決定を省略することを指示することを特徴とする請求項３に記載の通信装置。
【請求項５】
前記所定の規則は、前記第一および前記第二サブフレームサブセットの１つを、前記決定されたサブフレームサブセットとして予め定義することを特徴とする請求項３に記載の通信装置。
【請求項６】
前記所定の規則は、前記報告インスタンスの少なくとも１つのフレームインデックスおよびサブフレームインデックスにしたがって、前記第一および前記第二サブフレームサブセットの１つを、決定されたサブフレームサブセットとして選択することを特徴とする請求項３に記載の通信装置。
【請求項７】
前記所定の規則は、最新の周期的報告インスタンス中で採用された別のサブフレームサブセットを、前記決定されたサブフレームサブセットとして選択することを特徴とする請求項３に記載の通信装置。
【請求項８】
前記所定の規則は、前記最新の非周期的報告インスタンス中で採用された別のサブフレームサブセットを、前記決定されたサブフレームサブセットとして選択することを特徴とする請求項３に記載の通信装置。
【請求項９】
前記所定の規則は、前記最新の周期的報告インスタンスで採用される前記サブフレームサブセットを、前記決定されたサブフレームサブセットとして選択することを特徴とする請求項３に記載の通信装置。
【請求項１０】
前記所定の規則は、前記最新の非周期的報告インスタンスで採用される前記サブフレームサブセットを、前記決定されたサブフレームサブセットとして選択することを特徴とする請求項３に記載の通信装置。
【請求項１１】
前記第一プロセッサ論理ユニットは、さらに、前記ピア通信装置により設定され、チャネル状態情報測定を実行する第三サブフレームサブセットに関する情報を得て、前記第三プロセッサ論理ユニットは、さらに、前記トリガメッセージが、前記第一サブフレームサブセット、前記第二サブフレームサブセットまたは前記第三サブフレームサブセットのどれにもリンクできない時、前記所定の規則にしたがって、前記第一、第二および第三サブフレームサブセットから測定される前記サブフレームサブセットを決定することを特徴とする請求項３に記載の通信装置。
【請求項１２】
前記第三サブフレームサブセットは、前記第一および前記第二サブフレームサブセット中に含まれないサブフレームのサブセットを含むことを特徴とする請求項１１に記載の通信装置。
【発明の詳細な説明】
【技術分野】
【０００１】
この出願は、２０１１年１月１０日に出願された「CSI Feedback based on Interference measurement in Restricted Subsets of Subframes」と題された米国特許仮出願番号６１／４３１３１０号から、合衆国法典第３５編第１１９条の下、優先権を主張するものであり、その内容は引用によって本願に援用される。
【０００２】
本発明は、無線通信システム中、サブフレームの制限されたサブセットの干渉測定に基づいたチャネル状態情報（channel state information、ＣＳＩ）測定フィードバック（feedback）に関するものである。
【背景技術】
【０００３】
近年、移動通信技術が急速に発展し、ユーザーがどこにいても、各種通信サービス、たとえば、音声電話サービス、データ伝送サービスおよびビデオ通信サービス等を提供することができる。大部分の移動通信システムは多重アクセスシステムで、アクセスおよび無線ネットワークリソースは、複数のユーザーに割り当てられる。移動通信システムにより採用される多重アクセス技術は、１×符号分割多重アクセス２０００（１ｘ ＣＤＭＡ ２０００）技術、１×高速データ通信の最適化（１ｘ ＥＶＤＯ）技術、直行周波数分割多重（ＯＦＤＭ）技術およびロングタームエボリューション（ＬＴＥ）を含む。ＬＴＥアドバンストは、ＬＴＥから発展したＬＴＥスタンダードの強化技術である。ＬＴＥアドバンストは、ＬＴＥ装置と互換性がなければならず、また、ＬＴＥ通信システムと周波数バンドをシェアしなければならない。ＬＴＥアドバンストの最大の長所は、アドバンストトポロジーネットワークの長所を利用する能力があり、最適化された異機種ネットワークは、低ノード、たとえば、ピコセル、フェムトセルおよび新しい中継ノードの混合マクロを含む。
【０００４】
図１は、異機種ネットワーク（ＨｅｔＮｅｔ）を示す図である。マクロ進化型ノードＢ（ｅＮＢ）１０１のサービスエリア１００内で、小サービスエリアを有する幾つかの低電力ノードが配置されて、システム容量全体を改善している。図に示されるように、ピコｅＮＢ（ピコセルとも称される）１０２、フェムトｅＮＢ（フェムトセルとも称される）１０３および中継ｅＮＢ１０４が、マクロｅＮＢ１０１のサービスエリア１００と共に設置される。しかし、このようなＨｅｔＮｅｔは、不必要なセル間干渉を生じる。たとえば、ピコｅＮＢ１０２のセル領域拡張（ＣＲＥ）領域（たとえば、図１中に示されるＣＲＥ２０５）中のユーザー装置（ＵＥ）２０２が、ピコｅＮＢ１０２に位置して、サービングセルとすると仮定する。ＣＲＥ領域中のピコｅＮＢ１０２から受信される信号の電力レベルは、マクロｅＮＢ１０１から受信される信号の電力レベルより弱いので、ＵＥ２０２に隣接するマクロｅＮＢ１０１により伝送される信号は、ＵＥ２０２に強い干渉を生じる。別の例では、フェムトｅＮＢ１０３の閉鎖加入者グループ（ＣＳＧ）に属さないＵＥ２０１が、フェムトｅＮＢ１０３のサービスエリアに移動する時、フェムトｅＮＢ１０３により伝送される信号は、ＵＥ２０１に強い干渉を生じる。さらに別の例では、中継ｅＮＢ１０４が、信号またはデータをＵＥ２０３に同時に伝送する時、マクロｅＮＢ１０１により伝送される信号もＵＥ２０３に干渉する。
【０００５】
無線通信システム中、ＵＥがチャネル状態情報（ＣＳＩ）測定を実行する時、セル間干渉は不正確問題を発生する。
【発明の概要】
【発明が解決しようとする課題】
【０００６】
上述の問題を解決するため、通信システム中、チャネル状態情報（ＣＳＩ）測定を設定し、ＣＳＩ測定結果を報告する方法と装置が提供される。
【課題を解決するための手段】
【０００７】
通信システム中、チャネル状態情報測定を設定し、インスタンスを決定して、チャネル状態情報測定を実行する通信装置と方法が提供される。通信装置の態様は、トランシーバに結合されるプロセッサを含む。プロセッサはトランシーバに結合され、且つ、少なくとも、ピア通信装置により設定される第一サブフレームサブセット中に含まれるサブフレームで、チャネル状態情報測定を実行し、第一測定結果を得る第一プロセッサ論理ユニット、ピア通信装置により設定される第二サブフレームサブセット中に含まれるサブフレームで、第二チャネル状態情報測定を実行して、第二測定結果を得る第二プロセッサ論理ユニット、トランシーバにより、１つまたはそれ以上の報告インスタンスで、第一測定結果および第二測定結果をピア通信装置に報告する第三プロセッサ論理ユニットを含む。報告インスタンスが、複数の報告パラメータに基づいて決定され、ピア通信装置により、報告パラメータが、それぞれ、第一サブフレームサブセットおよび第二サブフレームサブセットに設定される。
【０００８】
通信システム中、チャネル状態情報測定を設定する方法の態様は、少なくとも１つの第一サブフレームサブセットおよび第二サブフレームサブセットを、ピア通信装置に決定して、チャネル状態情報測定を実行する工程と、それぞれ、少なくとも１つの報告周期性および報告オフセットを含む複数の報告パラメータを、第一サブフレームサブセットおよび第二サブフレームサブセットに決定する工程、および、第一サブフレームサブセット、第二サブフレームサブセット、および、第一サブフレームサブセットの報告パラメータと第二サブフレームサブセットの報告パラメータに関する情報を搭載する１つまたはそれ以上の設定メッセージを、ピア通信装置に伝送する工程、を含む。
【０００９】
通信装置の別の態様は、トランシーバに結合されるプロセッサを含む。プロセッサは、少なくとも、ピア通信装置により設定される少なくとも１つの第一サブフレームサブセット、第二サブフレームサブセットおよび複数の報告パラメータに関連する情報を得て、第一および第二サブフレームサブセットが設定されて、トランシーバにより、チャネル状態情報測定を実行し、報告パラメータが少なくとも第一サブフレームサブセットに対応する第一プロセッサ論理ユニット、報告パラメータにしたがって、少なくとも１つの報告インスタンスを決定し、第一サブフレームサブセットにリンクされる測定結果を報告する第二プロセッサ論理ユニット、および、報告インスタンスに基づいて、測定インスタンスを決定し、第一サブフレームサブセットに対応する所望の信号の電力を測定し、測定インスタンスは、第一サブフレームサブセットに属する有効なダウンリンクサブフレームである第三プロセッサ論理ユニット、を含む。
【００１０】
通信システム中、チャネル状態情報測定を実行する測定インスタンスを決定する方法の別の態様は、ピア通信装置により設定される少なくとも１つの第一サブフレームサブセット、第二サブフレームサブセットおよび複数の報告パラメータに関する情報を得て、第一および第二サブフレームサブセットが設定されて、チャネル状態情報測定を実行し、報告パラメータが少なくとも第一サブフレームサブセットに対応する工程と、報告パラメータにしたがって、少なくとも１つの報告インスタンスを決定し、第一サブフレームサブセットにリンクする測定結果を報告する工程、および、報告インスタンスに基づいて、測定インスタンスを決定し、第一サブフレームサブセットに対応する所望の信号の電力を測定し、測定インスタンスが、第一サブフレームサブセットに属する有効なダウンリンクサブフレームである工程、を含む。
【００１１】
通信装置の別の態様は、トランシーバに結合されるプロセッサを含む。プロセッサは、少なくとも、ピア通信装置により設定される少なくとも１つの第一サブフレームサブセットおよび第二サブフレームサブセットに関する情報を得て、第一および第二サブフレームサブセットが設定され、トランシーバにより、チャネル状態情報測定を実行する第一プロセッサ論理ユニット、ピア通信装置から受信された測定報告を始動するトリガメッセージに応じて、報告インスタンスを決定し、測定結果を報告する第二プロセッサ論理ユニット、トリガメッセージが、第一サブフレームサブセットおよび第二サブフレームサブセットのどれにもリンクできない時、または、トリガメッセージが第一サブフレームサブセットおよび第二サブフレームサブセット両方にリンクされる時、所定の規則にしたがって、第一および第二サブフレームサブセットから測定されるサブフレームサブセットを決定する第三プロセッサ論理ユニット、および、測定インスタンスを決定し、所定のサブフレームサブセットに対応する所望の信号の電力を測定し、測定インスタンスが、所定のサブフレームサブセットに属する有効なダウンリンクサブフレームである第四プロセッサ論理ユニット、を含む。
【図面の簡単な説明】
【００１２】
本発明の実施態様について詳細に述べる。その例は添付図面に示されている。
【図１】図１は、本発明の好ましい態様による異機種ネットワーク（ＨｅｔＮｅｔ）を示す図である。
【図２】図２は、本発明の好ましい態様による通信装置を説明する簡潔なブロック図である。
【図３】図３は、本発明の好ましい態様による通信システム中、チャネル状態情報測定を設定する方法のフローチャートである。
【図４】図４は、本発明の好ましい態様によるＣＱＩリファレンスリソースの位置を決定するコンセプトを示す図である。
【図５】図５は、本発明の好ましい態様による通信システム中、測定インスタンスを決定し、チャネル状態情報測定を実行する方法のフローチャートである。
【図６】図６は、本発明の別の好ましい態様によるＣＱＩリファレンスリソースの位置を決定するコンセプトを示す図である。
【発明を実施するための形態】
【００１３】
以下の説明は、本発明を実施する最も熟慮された態様についてのものである。この概要は、説明するためのものであり、本発明を定めるものではない。本発明は、請求項によって定められる。
【００１４】
図２は、本発明の好ましい態様による通信装置を説明する簡潔なブロック図である。通信装置２００は、図１に示されるサービスネットワーク中のユーザー装置（ＵＥ）である。サービスネットワークの操作は通信プロトコルに従う。一態様において、サービスネットワークは、ロングタームエボリューション（ＬＴＥ）システムまたはＬＴＥアドバンストシステムである。通信装置２００は、少なくとも１つのベースバンド処理装置２１０、無線周波数（ＲＦ）処理装置２２０および少なくとも１つのアンテナ２３０を含む。ベースバンド処理装置２１０は、複数のハードウェア装置を含み、アナログデジタル変換（ＡＤＣ）／デジタルアナログ変換（ＤＡＣ）、ゲイン調整、変調／復調、暗号／復号を含むベースバンド信号処理を実行する。たとえば、ベースバンド処理装置２１０はプロセッサ２４０を含み、ベースバンド信号処理を実行する。プロセッサ２４０は、さらに、ベースバンド処理装置２１０、ＲＦ処理装置２２０、および、その他の機能要素、たとえば、ＭＭＩとなる（man-machine interface）ディスプレイユニットおよび／またはキーパッド、アプリケーションや通信プロトコル等のデータやプログラムコードを保存するストレージユニットの操作を制御する。
【００１５】
ＲＦ処理装置２２０はＲＦ無線信号を受信すると共に、受信したＲＦ無線信号をベースバンド処理装置２１０に処理されるベースバンド信号に変換する、または、ベースバンド処理装置２１０からベースバンド信号を受信し、受信したベースバンド信号を、後に伝送されるＲＦ無線信号に変化する。ＲＦ処理装置２２０は、複数のハードウェア装置も含み、信号送受信と無線周波数変換を実行する。たとえば、ＲＦ処理装置２２０は、ＲＦ無線信号を送受信するトランシーバ２５０および無線通信システムの無線周波数で発振するキャリアにより、ベースバンド信号を多重化するミキサー（図示しない）を含み、無線周波数は、ユニバーサルモバイルテレコミュニケーション（ＵＭＴＳ）システムに用いられる９００ＭＨｚ，１９００ＭＨｚまたは２１００ＭＨｚ，あるいは、ＬＴＥシステムに用いられる９００ＭＨｚ，２１００ＭＨｚまたは２．６ＧＨｚ、または、その他の無線アクセス技術（ＲＡＴ）によって定めされる。ＵＭＴＳシステムとＬＴＥシステムに加え、本発明は、その他の未来のＲＡＴにも応用することが出来る。
【００１６】
前述の通り、無線通信システム中、ＵＥがチャネル状態情報（ＣＳＩ）測定を実行している時、セル間干渉は不正確問題を生じる。よって、本発明の好ましい態様中、チャネル状態情報（ＣＳＩ）測定は、好ましくは、制限されたサブフレーム中、特に、ビクティムＵＥで実行される。ここで、ビクティムＵＥというのは、隣接するｅＮＢからの干渉を受けるＵＥのことで、たとえば、図１に示されるように、マクロ-ピコ配置下のＣＲＥ領域２０５中のＵＥ２０２、または、マクロ-フェムト配置下の隣接するフェムトｅＮＢ１０３から干渉を受けるＵＥ２０１等である。
【００１７】
本発明の態様によると、制限されたサブフレームは、ほぼ空白のサブフレーム（ＡＢＳ）と称される。一般に、１個のフレームは１０個のサブフレームを含み、１個のサブフレームは、１ｍｓの期間を有し、１４個のＯＦＤＭ符号を含む。ｅＮＢ（ビクティムＵＥに干渉を生じるｅＮＢ）により空白にされるサブフレームはほぼ空白のサブフレーム（ＡＢＳ）と称される。一般のサブフレームと比較すると、ＡＢＳ中、ｅＮＢはデータ伝送をスケジューリングせず、わずかな制御信号伝送だけスケジューリングする。データ伝送はＡＢＳ中でスケジュールされないので、ＡＢＳで伝送される制御信号は、一般のサブフレームで伝送されるものより少ない。たとえば、ＡＢＳ中、物理制御フォーマット指示チャネル（ＰＣＦＩＣＨ）制御信号および物理ダウンリンク制御チャネル（ＰＤＣＣＨ）制御信号は伝送されず、ＰＣＦＩＣＨ制御信号が用いられていくつのＯＦＤＭ符号が用いられて、制御チャネルを伝送するかを明確にし、よって、レシーバＵＥは、どこで制御情報を見つけるかを知り、ＰＤＣＣＨ制御信号が用いられて、データ信号（データ領域で伝送される）のリソース割り当て、変調および符号化スキームを特定する。ＡＢＳの制御領域でまだ伝送される制御信号は、たとえば、これに限定されないが、共通制御信号（たとえば、共通基準信号（ＣＲＳ）、同期信号、システム情報等）およびページング信号を含む。
【００１８】
本発明の好ましい態様において、ｅＮＢは、ゼロまたは少なくとも二個のサブフレームサブセットをＵＥに設定して、ＣＳＩ測定を実行する。たとえば、ｅＮＢは、基本的に、ＵＥを設定する２個の異なるサブフレームサブセットを決定し、ＵＥの干渉レベルの時間ドメイン変化にしたがって、ＣＳＩ測定を実行すると共に、２個のサブフレームサブセットに関する情報を搭載する１つまたはそれ以上の設定メッセージを生成する。ｅＮＢは、設定メッセージをＵＥに伝送し、且つ、さらに、ＵＥから、１つまたはそれ以上の測定結果に関する情報を搭載する１つまたはそれ以上の測定結果報告メッセージを受信する。測定結果に基づいて、ｅＮＢは、ＵＥの信号および／またはデータ伝送をスケジュールし、干渉が少ない。
【００１９】
ＵＥが測定結果を報告するサブフレームは報告インスタンスと称される。測定結果は、チャネル品質インジケータ（Channel Quality Indicator、ＣＱＩ）、プリコーディングマトリクスインジケータ（Pre-coding Matrix Indicator、ＰＭＩ）およびランクインジケータ（Rank Indicator、ＲＩ）を含む３種の異なる報告タイプのデータである。設定されたサブフレームサブセットのＰＭＩとＲＩは、主に、設定されたサブフレームサブセットに含まれるサブフレーム中で測定される干渉に基づいて得られ、設定されたサブフレームサブセットのＣＱＩは、設定されたサブフレームサブセット中に含まれるサブフレームで測定される所望の信号および干渉に基づいて得られる。一般に、ＵＥは、一報告インスタンスで、設定された一サブフレームサブセットに対応するデータの一報告タイプだけを報告して、測定結果とする。さらに、ＵＥは、周期的または非周期的に測定結果を報告するように設定される。
【００２０】
周期的報告のコリジョン処理
周期的報告において、少なくとも１つの報告周期性および報告オフセットを含む複数の報告パラメータは、ｅＮＢにより設定される。ＵＥが設定されて、測定結果を周期的に報告する時、ＵＥは、報告周期性および報告オフセットに基づいて、報告インスタンスのサブフレームインデックスを決定する。注意すべきことは、ｅＮＢによりＵＥに設定され、ＣＳＩ測定を実行する少なくとも二個のサブフレームサブセットの重要性が異なるので、本発明の態様によると、好ましくは、ｅＮＢが、それぞれ、または、独立して、報告パラメータを異なるサブフレームサブセットに決定、および、設定する。たとえば、第一サブフレームサブセットの所定の報告タイプ（たとえば、ＣＱＩ，ＰＭＩおよびＲＩの１つ）に設定される報告周期性が１０ｍｓで、第一サブフレームサブセットの所定の報告タイプに設定される報告オフセットが２であると仮定すると、ＵＥは、第２、１２、２２、３２のサブフレームで、周期的に、第一サブフレームサブセットの所定の報告タイプに対応する測定結果を報告する。さらに、第二サブフレームサブセットの所定の報告タイプに設定される報告周期性が５ｍｓで、第二サブフレームサブセットの所定の報告タイプに設定される報告オフセットが２であると仮定すると、ＵＥは、第２、７、１２、１７のサブフレームで、周期的に、第二サブフレームサブセットの所定の報告タイプに対応する測定結果を報告する。
【００２１】
図３は、本発明の好ましい態様による通信システム中、チャネル状態情報測定を設定する方法のフローチャートである。ｅＮＢは、まず、少なくとも１つの第一サブフレームサブセットおよび第二サブフレームサブセットをピア通信装置（すなわち、ＵＥ）に決定して、チャネル状態情報測定を実行する（ステップＳ３０２）。次に、ｅＮＢは、それぞれ、少なくとも１つの報告周期性および報告オフセットを含む複数の報告パラメータを、第一サブフレームサブセットおよび第二サブフレームサブセットに決定する（ステップＳ３０４）。最後に、ｅＮＢは、第一サブフレームサブセット、第二サブフレームサブセット、および、第一サブフレームサブセットの報告パラメータ、第二サブフレームサブセットの報告パラメータに関する情報を搭載する１つまたはそれ以上の設定メッセージを、ピア通信装置に伝送する（ステップＳ３０６）。
【００２２】
ＵＥ（たとえば、図２中に示される通信装置２００）に関し、本発明の態様によると、ＵＥのプロセッサ（たとえば、プロセッサ２４０）は、複数のプロセッサ論理ユニットを含み、それぞれ、１つまたはそれ以上のタスクまたは機能性を処理するように設計される。たとえば、一例において、プロセッサは、少なくとも、ｅＮＢにより設定される第一サブフレームサブセット中に含まれるサブフレームで、チャネル状態情報測定を実行し、第一測定結果を得る第一プロセッサ論理ユニット、ｅＮＢにより設定される第二サブフレームサブセット中に含まれるサブフレームで、第二チャネル状態情報測定を実行し、第二測定結果を得る第二プロセッサ論理ユニット、および、トランシーバ２５０により、１つまたはそれ以上の報告インスタンスで、第一測定結果および第二測定結果を、ピア通信装置（すなわち、ｅＮＢ）に報告する第三プロセッサ論理ユニット、を含む。注意すべきことは、上述のように、本発明の態様によると、周期的報告において、報告インスタンスは報告パラメータに基づいて決定され、それぞれ、または、独立して、ｅＮＢにより、第一サブフレームサブセットおよび第二サブフレームサブセットに設定されることである。
【００２３】
異なるサブフレームサブセットの報告パラメータは、それぞれ、または、独立して、ｅＮＢにより設定されて、周期的に報告をするので、コリジョンは、異なるサブフレームサブセットに決定される報告インスタンス、または、同じサブフレームサブセットに対応する異なる報告タイプに決定される報告インスタンス、または、異なるサブフレームサブセットに対応する異なる報告タイプに決定される報告インスタンス間で発生する。上述の例に示されるように、コリジョンは、第２、１２、２２、３２のサブフレームで発生する。コリジョン問題を解決するため、本発明の態様によると、プロセッサは、さらに、衝突した測定結果に関する優先度にしたがって、どの測定結果を報告するかを決定する第四プロセッサ論理ユニットを含む。
【００２４】
さらに詳しく言うと、本発明の態様によると、コリジョンが、同一の設定されたサブフレームサブセット中の異なる報告タイプ間で発生する時、第四プロセッサ論理ユニットは、測定結果の報告タイプの優先度にしたがって、どの測定結果を報告するか決定する。たとえば、第一サブフレームサブセットの第一プロセッサ論理ユニットにより得られる第一測定結果が第一報告タイプに属し、且つ、第一プロセッサ論理ユニットが、さらに、第一サブフレームサブセットの第二報告タイプに属する第三測定結果を得るとき、および、第一測定結果を報告する第一報告インスタンスと第三測定結果を報告する第二報告インスタンスが衝突する時、第四プロセッサ論理ユニットは、第一報告タイプの優先度および第二報告タイプの優先度にしたがって、第一測定結果または第三測定結果を報告するか決定する。報告タイプの優先度は、ＲＩ＞広帯域ＣＱＩ／ＰＭＩ＞サブバンドＣＱＩとして決定され、広帯域ＣＱＩ／ＰＭＩは、通信システムにより用いられる全周波数バンドで測定されるＣＱＩ／ＰＭＩで、サブバンドＣＱＩは、サブバンドで測定されるＣＱＩである。
【００２５】
本発明の別の態様によると、コリジョンが、異なる設定されたサブフレームサブセットで発生する時、第四プロセッサ論理ユニットは、測定結果の報告タイプの優先度にしたがって、どの測定結果を報告するか決定する。たとえば、第一サブフレームサブセットの第一プロセッサ論理ユニットにより得られる第一測定結果が第一報告タイプに属し、第二サブフレームサブセットの第二プロセッサ論理ユニットにより得られる第二測定結果が第二報告タイプに属する時、第一測定結果を報告する第一報告インスタンスと第二測定結果を報告する第二報告インスタンスが衝突するとき、第四プロセッサ論理ユニットは、第一報告タイプの優先度および第二報告タイプの優先度にしたがって、第一測定結果または第二測定結果を報告するか決定する。
【００２６】
本発明のさらに別の態様によると、コリジョンが、異なる設定されたサブフレームサブセット間で発生する時、第四プロセッサ論理ユニットは、設定されたサブフレームサブセットの優先度にしたがって、どの測定結果を報告するか決定する。たとえば、第一測定結果を報告する第一報告インスタンスと第二測定結果を報告する第二報告インスタンスが衝突する時、第四プロセッサ論理ユニットは、第一サブフレームサブセットの優先度および第二サブフレームサブセットの優先度にしたがって、第一測定結果または第二測定結果を報告するか決定する。前述の通り、ｅＮＢによりＵＥに設定され、ＣＳＩ測定を実行する少なくとも二個のサブフレームサブセットの重要性が異なるので、設定されたサブフレームサブセットの優先度は、その重要性にしたがって決定される。コリジョンが発生する時、さらに重要なサブフレームサブセットの測定結果が報告される。
【００２７】
本発明のまた別の態様によると、コリジョンが、異なる設定されたサブフレームサブセットと異なる報告タイプ間で発生する時、第四プロセッサ論理ユニットは、異なる設定されたサブフレームサブセットの優先度および測定結果に対応する報告タイプの優先度にしたがって、どの測定結果を報告するか決定する。一態様中、報告タイプの優先度は、サブフレームサブセットの優先度より上位である。たとえば、衝突した測定結果中で、第四プロセッサ論理ユニットは、報告タイプの最高優先度を有する測定結果を選択する。２個の測定結果が選択される場合、第四プロセッサ論理ユニットは、設定されたサブフレームサブセット中で、最高優先度を有するものを選択する。
【００２８】
あるいは、本発明のまた別の態様によると、前記サブフレームサブセットの優先度は、報告タイプの優先度より上位である。たとえば、衝突した測定結果中で、第四プロセッサ論理ユニットは、設定されたサブフレームサブセットの最高優先度を有する測定結果を選択する。複数の測定結果が選択される場合、第四プロセッサ論理ユニットは、報告タイプ中で、最高優先度を有するものを選択する。
【００２９】
本発明の態様によると、いつ、測定結果報告メッセージが、制御チャネル（たとえば、物理アップリンク制御チャネル（ＰＵＣＣＨ））またはデータチャネル（たとえば、物理アップリンク共有チャネル（ＰＵＳＣＨ））で伝送されても、上述のような周期的報告で、コリジョンを処理するために提案されるコリジョン処理メカニズムが適用される。さらに、本発明のまた幾つかの態様において、コリジョンが、同一の設定されたサブフレームサブセット中の異なる報告タイプ間で発生するとき、第四プロセッサ論理ユニットは、上述のようなコリジョン処理メカニズムにしたがって、制御チャネルの測定結果を報告するか決定し、コリジョンが、異なる設定されたサブフレームサブセットで発生する時、制御チャネルで伝送されるデータ量は、データチャネルよりも少ないので、第四プロセッサ論理ユニットは、データチャネルで、衝突した測定結果全てを報告するか決定する。
【００３０】
あるいは、本発明のまたさらに幾つかの態様において、コリジョンが、同一の設定されたサブフレームサブセット中の異なる報告タイプ間で発生する時、第四プロセッサ論理ユニットは、データチャネルで、全部の衝突した測定結果を報告するか決定し、コリジョンが、異なる設定されたサブフレームサブセット間で発生する時、第四プロセッサ論理ユニットは、上述のようなコリジョン処理メカニズムにしたがって、制御チャネルで、測定結果を報告するか決定する。このほか、本発明のまたさらに幾つかの態様において、コリジョンが、異なる報告タイプ間、または、異なる設定されたサブフレームサブセット間で発生するかにかかわらず、第四プロセッサ論理ユニットは、データチャネルで、衝突した測定結果全てを報告するか決定する。
【００３１】
ＣＱＩリファレンスリソースの決定
上述のように、設定されたサブフレームサブセットのＣＱＩは、設定されたサブフレームサブセット中に含まれるサブフレーム中で測定される所望の信号および干渉に基づいて得られる。よって、ＣＱＩの周期的報告において、設定されたサブフレームサブセットおよび対応する報告パラメータに関する情報を得た後、ＵＥ（さらに詳しく言うと、ＵＥ中に含まれるプロセッサ少なくとも１つのプロセッサ論理ユニット）は、設定されたサブフレームサブセットにリンクされる報告インスタンスに基づいて、設定されたサブフレームサブセットの所望の信号の電力を測定する少なくとも１つの測定インスタンスを決定し、報告インスタンスは、設定されたサブフレームサブセットの報告パラメータにしたがって決定され、測定インスタンスは、所望の信号が測定されるサブフレームである。注意すべきことは、測定インスタンスは、“ＣＱＩリファレンスリソース”または“ＣＳＩリファレンスリソース”とも称されることである。
【００３２】
図４は、本発明の好ましい態様によるＣＱＩリファレンスリソースの位置を決定するコンセプトを示す図である。アップリンクサブフレームｎで報告される設定されたサブフレームサブセットのＣＱＩ値において、時間ドメイン中のＣＱＩリファレンスリソースは、単一のダウンリンクサブフレーム（ｎ−ｎＣＱＩ＿ｒｅｆ）として定義される。さらに詳しく言うと、前述の通り、ＵＥは、ｅＮＢにより設定され、周期的な報告を行う報告周期性と報告オフセットに基づいて、報告インスタンスのサブフレームインデックスを決定する。報告インスタンスの決定されたサブフレームインデックスがｎであると仮定すると、ＵＥは、さらに、ＣＱＩリファレンスリソースの位置（つまり、サブフレームインデックス）を（ｎ−ｎＣＱＩ＿ｒｅｆ）として決定する。本発明の態様によると、周期的報告のパラメータｎＣＱＩ＿ｒｅｆは以下の規則にしたがって決定される：
− ｎＣＱＩ＿ｒｅｆは４以上の最小整数で、よって、サブフレーム（ｎ−ｎＣＱＩ＿ｒｅｆ）は有効なダウンリンクサブフレームで、且つ、設定されたサブフレームサブセットに属し、報告インスタンスｎは、明確に、設定された報告インスタンスにリンクされる。
【００３３】
図４で示される態様を例とすると、ＵＥ中に含まれるプロセッサの第５プロセッサ論理ユニットが用意されて、ＣＱＩリファレンスリソース（すなわち、測定インスタンス）の位置を第一サブフレームサブセットに決定する時、第５プロセッサ論理ユニットは、第（ｎ−４）、（ｎ−５）、（ｎ−６）サブフレームから逆に開始されて、第一サブフレームサブセットに属する有効なダウンリンクサブフレームである第一サブフレームを見つける。よって、報告インスタンスおよび測定インスタンスのサブフレームインデックス間の差異は、所定値（すなわち、この例では、４）以上の最小整数で、測定インスタンスは有効なダウンリンクサブフレームで、且つ、第一サブフレームサブセット中に含まれる複数のサブフレームの１つである。注意すべきことは、態様中、ｎＣＱＩ＿ｒｅｆの最大値が定義され、測定されたＣＱＩ値は無効ではないことである。
【００３４】
図５は、本発明の好ましい態様による通信システム中、測定インスタンスを決定し、チャネル状態情報測定を実行する方法のフローチャートである。ＵＥは、まず、ピア通信装置（すなわち、ｅＮＢ）により設定される少なくとも１つの第一サブフレームサブセット、第二サブフレームサブセットおよび複数の報告パラメータに関する情報を得て（ステップＳ５０２）、第一および第二サブフレームサブセットが設定され、チャネル状態情報測定を実行し、報告パラメータは、少なくとも第一サブフレームサブセットに対応する。次に、ＵＥは、報告パラメータにしたがって、少なくとも１つの報告インスタンスを決定し、第一サブフレームサブセットにリンクされる測定結果を報告する（ステップＳ５０４）。最後に、ＵＥは、測定インスタンスを決定し、報告インスタンスに基づいて、第一サブフレームサブセットに対応する所望の信号の電力を測定し（ステップＳ５０６）、測定インスタンスは、第一サブフレームサブセットに属する有効なダウンリンクサブフレームである。
【００３５】
一方、ＣＱＩの非周期的報告において、ＵＥは、ｅＮＢにより始動されるときだけ、測定結果を報告するので、ＣＱＩリファレンスリソースの位置を決定する方法は、周期的報告の場合と異なる。
【００３６】
図６は、本発明の別の態様によるＣＱＩリファレンスリソースの位置を決定するコンセプトを示す図である。サブフレームｋ中、ｅＮＢからトリガメッセージを受信後、ＵＥは、サブフレームｎで、測定結果を報告しなければいけないことを知る。注意すべきことは、ｅＮＢは、各種方法で、トリガメッセージを伝送することである。たとえば、ｅＮＢは、アップリンクダウンリンク制御情報（ＤＣＩ）フォーマット信号、ランダムアクセスレスポンスグラント信号等を伝送することにより、トリガメッセージを伝送する。ＵＥは、さらに、ＣＱＩリファレンスリソースの位置（つまり、サブフレームインデックス）を（ｎ−ｎＣＱＩ＿ｒｅｆ）として決定する。本発明の態様によると、周期的報告のｎＣＱＩ＿ｒｅｆの定義は、以下の規則にしたがって決定される：
【００３７】
− 報告がアップリンクＤＣＩフォーマット信号により始動されるとき、有効なダウンリンクサブフレームが少なくとも１つの設定サブフレームサブセット中に含まれる場合、ｎＣＱＩ＿ｒｅｆが一数値として選択されて、ＣＱＩリファレンスリソースは、対応するＣＱＩ要求と同じ有効なダウンリンクサブフレームである（すなわち、トリガサブフレームｋ）。
【００３８】
− 報告がランダムアクセスレスポンスグラント信号により始動されるとき、ダウンリンクサブフレーム（ｎ−４）が、少なくとも１つの設定サブフレームサブセット中に含まれる有効なダウンリンクサブフレームに対応する場合、ｎＣＱＩ＿ｒｅｆは４に等しく、ダウンリンクサブフレーム（ｎ−４）は、対応するＣＱＩ要求のサブフレーム後に受信される（すなわち、トリガサブフレームｋ）。
【００３９】
しかし、サブフレームサブセットのパターンは、通常、全く違うので、有効なダウンリンクサブフレーム（すなわち、アップリンクＤＣＩフォーマット信号により始動されるときのトリガサブフレームｋ、または、ランダムアクセスレスポンスグラント信号により始動されるときのサブフレーム（ｎ−４））が設定されたどのサブフレームサブセットにも含まれない、または、設定されたサブフレームサブセット両方に含まれる共通のサブフレームである時、ＣＳＩ測定の実行前、ＵＥは、さらに、どのサブフレームサブセットが測定されるかを判断する必要がある。図６に示される態様を例とすると、周期的ＣＱＩ報告の場合と同様、プロセッサ論理ユニットは、サブフレームｋまたは（ｎ−４）、サブフレーム（ｋ−１）または（ｎ−５）から逆に開始されて、決定されたサブフレームサブセットに属する有効なダウンリンクサブフレームである第一サブフレームを見つける。
【００４０】
さらに詳しく言うと、本発明の態様によると、非周期的報告において、ＵＥは、まず、ピア通信装置（すなわち、ｅＮＢ）により設定される少なくとも１つの第一サブフレームサブセットおよび第二サブフレームサブセットに関連する情報を獲得し、ピア通信装置からトリガメッセージを受信し、その後、トリガメッセージに対応して、測定結果を報告する報告インスタンスを決定する。次に、トリガメッセージが、第一サブフレームサブセットおよび第二サブフレームサブセットのいづれにもリンクできない時、または、トリガメッセージが第一サブフレームサブセットおよび第二サブフレームサブセット両方にリンクされる時、ＵＥは、さらに、所定の規則にしたがって、第一および第二サブフレームサブセットから測定されるサブフレームサブセットを決定し、決定されたサブフレームサブセットに対応する所望の信号の電力を測定する測定インスタンスを決定する。注意すべきことは、本発明のコンセプトによると、ＵＥにより決定される測定インスタンスは、有効なダウンリンクサブフレームで、且つ、決定されたサブフレームサブセットに属する。
【００４１】
本発明の態様によると、所定のサブフレームサブセットを得る所定の規則は、第一および第二サブフレームサブセットの１つを、所定のサブフレームサブセットとして予め定義するように設計される。言い換えると、トリガメッセージが、第一サブフレームサブセットおよび第二サブフレームサブセットのどれにもリンクできない時、または、トリガメッセージが第一サブフレームサブセットおよび第二サブフレームサブセット両方にリンクされる時はいつでも、ＵＥは、測定される固定のサブフレームサブセットを選択する。
【００４２】
本発明の別の態様によると、所定の規則は、報告インスタンスの少なくとも１つのフレームインデックスおよびサブフレームインデックスにしたがって、第一および第二サブフレームサブセットの１つを、決定されたサブフレームサブセットとして選択するように設計される。言い換えると、ＵＥは、報告インスタンスのフレームインデックスおよびサブフレームインデックスを用いる、または、別のパラメータを用いて、計算を実行し、どのサブフレームサブセットが測定されるかを示す計算結果を得る。
【００４３】
本発明のさらに別の態様によると、所定の規則は、最新の周期的報告インスタンス中で採用された別のサブフレームサブセットを、決定されたサブフレームサブセットとして選択するように設計される。本発明のまた別の態様によると、所定の規則は、最新の非周期的報告インスタンス中で採用された別のサブフレームサブセットを、決定されたサブフレームサブセットとして採用するように設計される。本発明のまた別の態様によると、所定の規則は、最新の周期的報告インスタンスで採用されたサブフレームサブセットを、決定されたサブフレームサブセットとして選択するように設計される。本発明のまた別の態様によると、所定の規則は、最新の非周期的報告インスタンスで採用されるサブフレームサブセットを、決定されたサブフレームサブセットとして選択するように設計される。注意すべきことは、上述の態様において、ｎＣＱＩ＿ｒｅｆの最大値が定義され、ＣＱＩリファレンスリソース（ｎ−ｎＣＱＩ＿ｒｅｆ）は無効ではない。
【００４４】
本発明のまた別の態様によると、トリガメッセージが第一サブフレームサブセットおよび第二サブフレームサブセットのいずれにもリンクできない時、または、トリガメッセージが第一サブフレームサブセットおよび第二サブフレームサブセット両方にリンクされる時、ＵＥは、直接、この報告インスタンスのスキップを決定する。すなわち、ＵＥは、どのサブフレームサブセットが測定されるかを決定する必要がない。この場合、第一および第二サブフレームサブセットのどちらも決定されず、測定位置インスタンスの決定も飛ばされる。
【００４５】
ＣＳＩ測定の増強
上述の態様は、ＣＳＩ測定に２個のサブフレームサブセットを設定しているが、本発明はこれに限定しない。たとえば、ｅＮＢは、さらに、第三サブフレームサブセットを設定して、ＣＳＩ測定を実行し、ＣＳＩ測定の結果を増強し、且つ、ＵＥに伝送される１つまたはそれ以上の設定メッセージ中、第三サブフレームサブセットに関する情報を搭載する。本発明の態様中、第三サブフレームサブセットは、第一および第二サブフレームサブセット中に含まれないサブフレームのサブセットを含む。よって、本発明のある態様中、ＵＥは、さらに、ｅＮＢにより設定される第三サブフレームサブセットに関する情報を獲得し、（周期的報告として設定されるとき）ｅＮＢから、第三サブフレームサブセットの報告パラメータに関する情報を得るか、または、（非周期的報告として設定されるとき）前述のように、ｅＮＢから、第三サブフレームサブセットに対応する測定結果の報告を始動するトリガメッセージを受信する。
【００４６】
周期的報告において、コリジョンが、３個の設定されたサブフレームサブセット間の報告インスタンスで発生する時、ＵＥは、第一測定結果の優先度、第二測定結果の優先度および／または第三測定結果の優先度、または、第一サブフレームサブセットの優先度、第二サブフレームサブセットの優先度および／または第三サブフレームサブセットの優先度、または、それらの組み合わせにしたがって、第一、第二または第三サブフレームサブセットに対応する測定結果を報告するか決定する。上述のような周期的報告におけるコリジョンを処理するために提案されるコリジョン処理メカニズムは、コリジョンが３個の設定されたサブフレームサブセット間で発生するときに適用される。よって、詳細はここで省略する。
【００４７】
さらに、上述のような周期的または非周期的報告の場合、ＣＱＩリファレンスリソースの決定のコンセプトは、３個のサブフレームサブセットがｅＮＢにより設定される時に適用される。ＣＱＩの非周期的報告において、トリガメッセージが第一サブフレームサブセット、第二サブフレームサブセットおよび第三サブフレームサブセットのいずれかにもリンクできない時、ＵＥは、上述のような所定の規則にしたがって、どのサブフレームサブセットが第一、第二および第三サブフレームサブセットから測定されるか判断する。
【００４８】
本発明の上述の態様は多種の方式で実行される。たとえば、態様は、ハードウェア、ソフトウェアまたはそれらの組み合わせを用いて実行される。当業者なら理解できるように、上述の機能を実行する任意のコンポーネンツまたはコンポーネンツの集合は、一般的に、上で討論された機能を制御する１つまたはそれ以上のプロセッサとして見なされる。１つまたはそれ以上のプロセッサは、各種方式で実行され、たとえば、専用のハードウェア、または、マイクロコードまたはソフトウェアを用いてプログラムされる汎用ハードウェアにより、上述の機能を実行する。
【００４９】
請求項中の要素を修飾する「第一」「第二」「第三」等の序数詞の使用は、いかなる優先、順位または各要素間の順序または方法が実行する工程順序も暗示しないが、標識となって、同じ名称を有する（異なる序数詞を有する）異なる要素を区分する。
【００５０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0006038869.tif 000002
【図２】
0006038869.tif 000003
【図３】
0006038869.tif 000004
【図４】
0006038869.tif 000005
【図５】
0006038869.tif 000006
【図６】
0006038869.tif 000007